(57)【要約】 １つまたは複数の支持部材を備える保護ヘルメット用スタンドが記載される。スタンドは、折り畳み形態と展開形態との間で可動である。展開形態では、スタンドは、使用中に保護ヘルメットの外表面に接触するように配置された１つまたは複数の支持部材を使用して、保護ヘルメットを受け入れて支持するように配置される。折り畳み形態では、スタンドは、１０ｃｍ以下の最大寸法を有する。このようにして、スタンドは、折り畳み形態でユーザのポケットに簡単に入れることができる。
2013530320.tif 000002
【特許請求の範囲】
【請求項１】
１つまたは複数の支持部材を備える保護ヘルメット用スタンドであって、
前記スタンドは、折り畳み形態と展開形態との間を可動であり、
前記展開形態において、前記スタンドは、使用中に保護ヘルメットの外表面に接触するように配置された前記１つまたは複数の支持部材を使用して、前記保護ヘルメットを受け入れて支持するように配置され、
前記スタンドは、前記折り畳み形態では１０ｃｍ以下の最大寸法を有する、保護ヘルメット用スタンド。
【請求項２】
請求項１に記載の保護ヘルメット用スタンドであって、前記スタンドは、中央体と２つ以上の支持部材とを備え、各支持部材は、前記折り畳み形態と前記展開形態との間で前記スタンドを移動するように、前記中央体に可動的に連結されており、前記支持部材は、前記折り畳み形態よりも前記展開形態において、より離間されている、保護ヘルメット用スタンド。
【請求項３】
請求項２に記載の保護ヘルメット用スタンドであって、各支持部材は、各アームを利用して前記中央体に連結されており、各アームは、前記中央体に可動的に連結される各第１端を有し、各アームは、前記支持部材のうちのそれぞれ１つと可動的に連結される、保護ヘルメット用スタンド。
【請求項４】
請求項２または３に記載の保護ヘルメット用スタンドであって、前記支持部材は、それぞれ各接触部分と各脚部分とを備え、前記接触部分は、前記スタンドの前記展開形態において、支持された保護ヘルメットの前記外表面に接触するように配置され、前記脚部分は、前記スタンドの前記展開形態において、前記スタンドの台座として機能するように配置されている、保護ヘルメット用スタンド。
【請求項５】
請求項１から４のいずれか１項に記載の保護ヘルメット用スタンドであって、前記スタンドが前記展開形態にあるときに、前記保護ヘルメットを前記スタンドに固定する保持部材をさらに備える、保護ヘルメット用スタンド。
【請求項６】
請求項５に記載の保護ヘルメット用スタンドであって、前記保持部材は、前記ヘルメットの外表面に取り付けられる吸盤を備える、保護ヘルメット用スタンド。
【請求項７】
請求項５に記載の保護ヘルメット用スタンドであって、前記保持部材は、前記保護ヘルメットに巻き付けるかまたは結びつけるための１つまたは複数の紐を備える、保護ヘルメット用スタンド。
【請求項８】
請求項７に記載の保護ヘルメット用スタンドであって、前記１つまたは複数の紐は伸縮性がある、保護ヘルメット用スタンド。
【請求項９】
請求項７または８に記載の保護ヘルメット用スタンドであって、前記１つまたは複数の紐が一緒になって、中にある前記保護ヘルメットを受け入れるメッシュまたはネットを形成する、保護ヘルメット用スタンド。
【請求項１０】
請求項１から９のいずれか１項に記載の保護ヘルメット用スタンドであって、前記スタンドを前記展開形態に向かって付勢する弾性付勢部材をさらに備える、保護ヘルメット用スタンド。
【請求項１１】
請求項１から１０のいずれか１項に記載の保護ヘルメット用スタンドであって、前記スタンドは、ロックされた形態と解放された形態との間で可動である第１のロック部材を備え、ロックされた形態では、前記第１のロック部材は、前記スタンドを折り畳み形態に維持するように配置される、保護ヘルメット用スタンド。
【請求項１２】
請求項１から１１のいずれか１項に記載の保護ヘルメット用スタンドであって、前記スタンドは、ロックされた形態と解放された形態との間で可動である第２のロック部材を備え、ロックされた形態では、前記第２のロック部材は、前記スタンドを前記展開形態に維持するように配置される、保護ヘルメット用スタンド。
【請求項１３】
請求項１から１２のいずれか１項に記載の保護ヘルメット用スタンドであって、前記スタンドは、前記折り畳み形態と前記展開形態との間をヒンジ可動する、保護ヘルメット用スタンド。
【請求項１４】
請求項１から１３のいずれか１項に記載の保護ヘルメット用スタンドであって、複数の取り外し可能な構成要素をさらに備え、前記取り外し可能な構成要素は、前記スタンドの折り畳み形態において一方向で一緒に取り付けられるよう操作可能であり、また、前記取り外し可能な構成要素は、前記スタンドの展開形態において他方向で一緒に取り付けられるように操作可能である、保護ヘルメット用スタンド。
【請求項１５】
請求項１から１４のいずれか１項に記載の保護ヘルメット用スタンドであって、可膨張性部材をさらに備える、保護ヘルメット用スタンド。
【請求項１６】
請求項１から１５のいずれか１項に記載の保護ヘルメット用スタンドであって、前記ヘルメットが前記展開形態にある前記支持部材によって支持されているときに前記保護ヘルメットの前記外表面に引っかき傷をつけないように、各支持部材はそれぞれノンスクラッチ外表面を備える、保護ヘルメット用スタンド。
【請求項１７】
請求項１から１６のいずれか１項に記載の保護ヘルメット用スタンドであって、前記スタンドは、前記折り畳み形態と前記展開形態との間の移動の間、１つの要素のままである、保護ヘルメット用スタンド。
【請求項１８】
請求項１から１７のいずれか１項に記載の保護ヘルメット用スタンドであって、前記スタンドをキーホルダーに取り付けるためのキーホルダー取り付け部材をさらに備える、保護ヘルメット用スタンド。
【請求項１９】
請求項１から１８のいずれか１項に記載の保護ヘルメット用スタンドであって、前記スタンドをオートバイに固定するためのオートバイ取り付け部材をさらに備える、保護ヘルメット用スタンド。
【請求項２０】
請求項１から１９のいずれか１項に記載の保護ヘルメット用スタンドであって、スタンドの展開形態において前記支持された保護ヘルメットの内側を冷やすように配置されたファンをさらに備える、保護ヘルメット用スタンド。
【請求項２１】
請求項１から２０のいずれか１項に記載の保護ヘルメット用スタンドであって、前記折り畳み形態において、前記スタンドは、８ｃｍ以下の最大寸法を有する、保護ヘルメット用スタンド。
【請求項２２】
請求項１から２１のいずれか１項に記載の保護ヘルメット用スタンドであって、前記折り畳み形態において、前記スタンドは、６ｃｍ以下の最大寸法を有する、保護ヘルメット用スタンド。
【請求項２３】
請求項１から２２のいずれか１項に記載の保護ヘルメット用スタンドであって、折り畳み形態では、スタンド１０は、前記最大寸法に直交する第２の寸法であって、前記最大寸法よりも著しく小さい第２の寸法を有する、保護ヘルメット用スタンド。
【発明の詳細な説明】
【技術分野】
【０００１】
本発明は、保護ヘルメット用スタンドに関する。具体的には、オートバイ用ヘルメットなどの保護ヘルメットを地面より上で支持するスタンドに関する。
【背景技術】
【０００２】
オートバイ用ヘルメットは、交通事故などによる衝撃の際、ライダーの頭を保護するために着用される安全装置である。オートバイ用ヘルメットは、通常、衝突で壊れるように設計されており（このようにして、そうしなければライダーの頭蓋骨に向かうであろうエネルギーを消費する）、そのため最初の衝撃の後は、ほとんどあるいはまったく保護を提供しない。オートバイ用ヘルメットは高額になることもあり、確実に保護機能を果たせるように、ヘルメット自体が損傷から保護されるべきである。したがって、走行終了時にオートバイ用ヘルメットを脱いだらすぐに、大切に保管することを確実に行うのが望ましい。
【０００３】
オートバイ用ヘルメットは、水平面（例えば、地面）上に、当該面に向かってライダーの頭部用の開口部を下向きにして、安定的に保管することができる。しかし、安定的である一方で、この保管位置ではヘルメット内のフォームライナーが当該面に接触する可能性があり、当該面が完全になめらかで、乾いており、また清潔でなければ、簡単に、破れたり、ぬれたり、汚れたりするかもしれないという欠点がある。
【０００４】
あるいは、オートバイ用ヘルメットは、水平面の上に、逆さまにまたは横倒しに置かれてもよい。この保管位置では、フォームライナーと表面の接触が回避され、前述の欠点が予防される。しかし、この方向では、ヘルメットは安定せず、簡単に転がったり損傷したりする可能性があり、それにより、ライダーの頭を保護する際のヘルメットの効果が損なわれる可能性がある。
【０００５】
現在、オートバイ用ヘルメットのスタンドが入手可能である。例えば、特許文献１には、オートバイ用ヘルメットなどとともに使用されるポケットサイズの台が記載されている。当該台は、断面が台形である可撓性の環帯であって、不規則な形の支持面に適合するように台の変形を促進させるために、台形の内側および外側の下端に直径方向の正反対に位置する切り込みを備える環帯である。しかし、このスタンドからヘルメットを落とすのは比較的簡単であり、ヘルメットを損傷させる可能性がある。その他の現在入手可能なオートバイ用ヘルメットのスタンドは、オートバイ走行の間に簡単に運搬するには、大きすぎる場合が多い。
【先行技術文献】
【特許文献】
【０００６】
【特許文献１】米国特許第４２５３６３０号
【発明の概要】
【発明が解決しようとする課題】
【０００７】
本発明は、先行技術の利点よりも多様な利点を提供する代替的オートバイ用ヘルメットのスタンドを提供しようとするものである。
【課題を解決するための手段】
【０００８】
本発明によれば、１つまたは複数の支持部材を備えるオートバイ用ヘルメットのスタンドが提供される。スタンドは、折り畳み形態と展開形態との間で可動する。展開形態では、スタンドは、使用中にオートバイ用ヘルメットの外表面に接触するように配置された１つまたは複数の支持部材を使用して、オートバイ用ヘルメットを受け入れて支持するように配置される。折り畳み形態では、スタンドは、１０ｃｍ以下の最大寸法を有する。このようにして、スタンドは、折り畳み形態でユーザのポケットに入れることができる。
【０００９】
スタンドは、中央体と２つ以上の支持部材とを備え、各支持部材は、折り畳み形態と展開形態との間でスタンドを移動するように、中央体に可動的に連結されており、支持部材は、折り畳み形態よりも展開形態において、互いにより離間されている。
【００１０】
各支持部材は、各アームを利用して中央体に連結されており、各アームは、中央体に可動的に連結される各第１端を有し、各アームは、支持部材のうちのそれぞれ１つと可動的に連結されている。「連結」アームを使用することによって、スタンドの折り畳み形態を比較的小型にするべく、各支持部分を中央体向かって折り込むことが可能になる。
【００１１】
支持部材は、各接触部分と各脚部分とを備え、接触部分は、スタンドの展開形態において、支持されたオートバイ用ヘルメットの外表面に接触するように配置され、脚部分は、スタンドの展開形態において、スタンドの台座として機能するように配置されている。例えば、使用に際してスタンドを地面に置いた場合、地面に接するのは脚部である。
【００１２】
本発明のその他の好適な特徴は、特許請求の範囲に記載する。
【００１３】
本発明の実施形態を、図面を参照しながら一例として次に説明する。
【図面の簡単な説明】
【００１４】
【図１】図１は、折り畳み形態にあるオートバイ用ヘルメットのスタンドの一実施形態の斜視図である。
【図２】図２は、折り畳み形態と展開形態との間を移動しているときのオートバイ用ヘルメットのスタンドの斜視図である。
【図３】図３は、展開形態にあるオートバイ用ヘルメットのスタンドの斜視図である。
【図４】図４は、展開形態にあるオートバイ用ヘルメットのスタンドの上に降ろされるオートバイ用ヘルメットの斜視図である。
【図５】図５は、展開形態にあるオートバイ用ヘルメットのスタンドによって支持されるオートバイ用ヘルメットの側面図である。
【発明を実施するための形態】
【００１５】
図１〜図３は、本発明によるオートバイ用ヘルメットスタンド１０の好適な実施形態を示している。図１では、スタンド１０は、収納のために折り畳み形態になっているが、図３は、オートバイ用ヘルメット（図１〜図３では図示せず）の支持体、台、ホルダー、または置き場としての機能を果たす用意がある展開形態にあるスタンド１０を示している。図２は、図１の折り畳み形態と図３の展開形態との間を移動しているときの中間位置にあるスタンドを示している。スタンド１０は、オートバイ用ヘルメット用のスタンドとして使用されることを主たる目的としているが、自転車用ヘルメット、スキー／スノーボード用ヘルメット、または乗馬帽など、他のあらゆるタイプの保護ヘルメットに使用可能である。
【００１６】
図１〜図３のスタンド１０は、中央体１２、４個の連結アーム１４、４個の支持部材１６、付属リング１８を備える。
【００１７】
中央体１２は、中央領域２０と４個の外側突出部材２２とを有する十字形として実質的に形成され、各外側突出部材２２は、隣接するそれぞれの外側突出部材２２から９０°の角度で離間している。外側突出部材２２は、実質的に同一平面において中央領域２０から外側に向けて突出して十字形を形成している。その他の構成もまた想定される。
【００１８】
各連結アーム１４は、第１の「近」端３０と、第１の「遠」端３２とを有する細長いバーであって、「近」と「遠」とは、中央体１２の中心からの近さによって定義される相対語である。各連結アーム１４は、その近端３０においてスタンド１０の中央体１２に対して可動的に連結されている。具体的には、各近端３０は、中央体１２の各外側突出部材２２にヒンジ止めされる。図１の実施形態では、これは、各連結アーム１４の近端３０を受け入れるために、各外側突出部材２２の自由（すなわち、「遠」）端に収納部２４をそれぞれ設けることによって達成される。各ヒンジボルト２６は、近端３０と外側突出部材２２の各ヒンジペアを貫通し、外側突出部材２２の平面に位置する、外側突出部材２２が中央領域２０から遠ざかって伸長する方向に対して垂直な各回転軸または枢動軸を提供する。
【００１９】
４個の支持部材１６のうちの１つについて次に説明する。４個の支持部材１６は、すべて互いに実質的に同一である。支持部材１６は、第１の「接触」端４０と、第２の「脚」端４２とを有する細長いバーである。支持部材１６の「接触」端４０は、図３の展開形態での使用中に、（図５に図示されたように）支持されているオートバイ用ヘルメットに接触端４０が接触するため、そのように呼ばれる。このように、支持部材１６の接触端４０は、スタンド１０の展開形態においてスタンド１０によって支持されているヘルメットに接触する接触点または接触域を備える。ヘルメットが展開形態にある支持部材１６によって支持されているときに、オートバイ用ヘルメットの外表面に引っかき傷がつかないように、各接触端４０は、ノンスクラッチ外表面を備えるのが望ましい。ノンスクラッチ外表面は、ノンスクラッチコーティングでもよい。あるいは、接触端４０自体が、ノンスクラッチ材料から製造／形成されていてもよい。「脚」端４２は、図３の展開形態での使用中には、脚端４２が地面の上に立ち、スタンド１０の基礎または基盤としての機能を果たすため、そのように呼ばれる（再度図５を参照）。支持部材１６は、接触端４０と脚端４２との間でわずかに弓なりに曲がっている。支持部材１６は、さらに、支持部材１６の接触端４０よりも脚端４２の近くに配置されている連結部４４を備える。連結部４４は、そのわずかに弓なりに曲がっている支持部材１６の出っ張った側に配置されている。各支持部材１６は、それぞれの連結アーム１４の遠端３２に可動的に連結されている。具体的には、各連結アーム１４の遠端３２は、それぞれの支持部材１６の連結部４４にヒンジ止めされている。図１の実施形態では、これは、各連結アーム１４の遠端３２を受け入れるために、各支持部材１６の連結部４４において収納部４６をそれぞれ提供することによって達成される。各ヒンジボルト４８は、遠端３２と連結部４４との各ヒンジペアを通って伸長し、各細長い連結アーム１４の長手軸と各細長い支持部材１６の長手軸とに実質的に垂直に位置する各回転軸または旋回軸を提供する。
【００２０】
付属リング１８は、連結部材５０を用いて中央体１２の中心へ取り付けられた環状リングである。連結部材５０は、中央体１２に堅固に取り付けられ、また中央体１２から上方に向かって４個の外側突出部材２２が位置する平面に対して実質的に垂直な方向に伸長する実質上の円筒体である。連結部材５０が上方に伸長する方向をｚ方向として定義すると、４個の外側突出部材２２は、＋ｘ、−ｘ、＋ｙ、−ｙ方向に伸びるｘ−ｙ平面に位置している。付属リング１８は、連結部材５０の遠端の穴を貫通し、こうして連結部材５０に可動的に連結される。
【００２１】
使用に際しては、スタンド１０は、図１の折り畳み形態から図２の中間位置を経て図３の展開形態へと移動することができる。その後、スタンドは、図２の中間位置を経て図１の折り畳み形態に戻すことにより再度折り畳むことができる。
【００２２】
図１の折り畳み形態では、スタンド１０は比較的小型になるように「畳まれる」。具体的には、支持部材１６をスタンド１０の中央体１２に向かって折り込む。連結アーム１４は、中央体１２から下方（−ｚ軸方向）に伸びる。また連結アーム１４は、遠端３２がすべてスタンド１０の中央体１２の中心の下の方でともに接近するように配置される。それぞれの支持部材の各接触端４０が中央体１２のそれぞれの外側突出部材２２に隣接するように、支持部材１６は連結アーム１４に実質的に平行に位置する。
【００２３】
図１の折り畳み形態において、スタンド１０はポケットサイズである。言い換えれば、スタンド１０はユーザのポケット内に楽に収まるような寸法になっている。このように、スタンド１０は、付属リング１８を用いてユーザのキーホルダーに簡便に取り付けることが可能であり、ユーザは、必要に応じて、ユーザの鍵をスタンド１０と一緒にポケットに収納することも可能である。言い換えれば、スタンド１０の折り畳み形態は、スタンド１０の非使用時（すなわち、スタンド１０がオートバイ用ヘルメットを支持するために使用されていないとき）に、スタンド１０を格納する際に利用される。したがって、スタンド１０の折り畳み形態を、代わりに「格納形態」として説明することも可能である。図面に示されたリング１８の代わりに、スタンド１０をキーホルダーに取り付けるための他のタイプのキーホルダー取り付け部材（例えば、クリップまたはフック）もまた想定される。
【００２４】
折り畳み形態で「ポケットサイズ」になるということは、オートバイのライダーが、オートバイに乗っているときにスタンド１０を服のポケットに入れて簡単に携帯できるということを意味する。オートバイのライダーは、その後走行が終わりオートバイのヘルメットをそれ以上着用しない場合には、ヘルメットを支持するべくポケットからスタンド１０を取り出す。「ポケットサイズ」という用語については、以下の段落でもさらに定義する。
【００２５】
携帯可能なポケットサイズのスタンド１０は、折り畳み形態における最大（線）寸法が１０ｃｍ以下（すなわち最大１０ｃｍまで）である。折り畳まれたスタンドの最大寸法の上限が１０ｃｍであることによって、折り畳まれたスタンド１０を大きな衣服のポケット（例えば、コートまたはその他の外衣のポケット）に格納することが可能になる。好適な実施形態において、折り畳み形態にあるスタンド１０の最大寸法は、９ｃｍ以下、８ｃｍ以下、７ｃｍ以下、６ｃｍ以下、または５ｃｍ以下であってもよい。これらの実施形態でも、折り畳み形態にあるスタンド１０を運搬する間、スタンド１０を、徐々に小型になる服のポケット（ジーンズのポケットなど）に収めることができる。このように折り畳み形態にあるスタンド１０は、より小さくかつ携帯可能になる程利点が多い。
【００２６】
上述のように、携帯型のポケットサイズのスタンド１０は、折り畳み形態では、最大寸法（例えば、長さ）１０ｃｍ以下である。折り畳み形態では、スタンド１０は、第２の（線）寸法（例えば、幅または奥行きまたは直径）であって、最大寸法に直交し、スタンドの最大寸法よりも小さい第２の寸法を都合よく有している。第２の寸法は、最大寸法より著しく小さいとより利点が多い。具体的には、第２の寸法は、最大寸法の２５〜７５％（例えば、約５０％）とすることができる。このように、本実施形態では、スタンドは、よりユーザのポケットに快適に収まるように、少なくとも一方向においては、厚さが大幅に小さくなっている。これにより、スタンド１０は、さらに小型で、携帯可能で、使い勝手がよくなる。
【００２７】
一実施形態では、折り畳み形態にあるスタンドのサイズは、ズボンのポケットに簡単に収まることがよく知られている一般的な男性用財布と類似している。別の実施形態では、折り畳み形態にあるスタンドのサイズは、がっしりとした電気自動車のキーフォブ（例えば、７ｃｍ×４ｃｍ×３ｃｍ）と類似している。誤解を回避するために言えば、これらのスタンドのサイズは、限定的ではなく、代表的なサイズとして見なされるべきである。
【００２８】
スタンド１０が、図３の展開形態へ動いたときには、連結アーム１４が、中央体１２から外側へそれぞれの外側突出部材２２と同じ方向に伸長する。このように、連結アーム１４は、その遠端３２が、すべて中央体１２の外側の周囲に互いに離間するようにして配置される。この構成では、中央体１２と連結アーム１４とが一緒になって、中央体のみによって形成される十字形よりも大きい十字形を形成する。支持部材１６は、支持部材１６が、実質的にｚ方向へと最上部は接触端４０で底部は脚端４２でそれぞれ伸長するように、各連結アーム１４と実質的に垂直になる。図３の展開形態では、支持部材１６は、図１の折り畳み形態よりも中央体１２から離れている。このように、スタンドは、折り畳み形態よりも展開形態において、より大きくなり、広い空間を取る。
【００２９】
展開形態では、スタンド１０を地面６８に置いて、地面上でオートバイ用ヘルメット６０を支持する安定的で均衡のとれた台座とすることができる（図５参照）。スタンド１０は、凸凹があるかまたはわずかに傾斜した面に置かれた場合も、オートバイヘルメット６０に安定的な支持を提供することができる。したがって、スタンド１０がそのオートバイ用ヘルメットの台としての機能を果たすのは展開形態においてであるため、スタンド１０のこの形態を、代わりに「動作形態」として説明することもできる。
【００３０】
ヘルメット６０は、図４に示されるようにスタンド１０の上に降ろされる。具体的には、ヘルメット６０を、スタンド１０の上に降ろしながら、逆さまにする（すなわち、反転させる）。こうして、ヘルメット６０がスタンド１０に支持されている間ヘルメット６０のあごストラップ６４およびあごバー６６が上方を向いたままになるようにして、ヘルメット６０の半球型（または凸型または丸型）の上面６２をスタンド１０の上に置く。スタンド１０の展開形態では、各支持部材１６の接触端４０は、すべてオートバイ用ヘルメットの上面の半球型外表面に相当する架空の半球型面にある。このようにして、スタンド１０は、ヘルメット６０を安定的に支持する。
【００３１】
ヘルメット６６を、図５に示されたような完全な逆さまの状態ではなく、側面を下にしてあるいはその他の角度で置くこともまた可能であることを理解されたい。スタンド１０の方がわずかに大きい場合には、正しい方向を上にして（すなわち、ヘルメット６０の半球型の上面が上方を向くようにして）置かれたヘルメット６０を支持するべく使用することもまた可能である。この場合、接触端４０は、使用中に着用者の首を囲むヘルメット６０の環状ベース６８と接触する。各ヘルメットの配向において、各支持部材１６の接触端４０は、ヘルメット６０の外表面であってヘルメット６０が支持されている外表面に一致または相当する架空の面にあると考えられる。
【００３２】
図５において最も明らかに見られるように、展開形態におけるスタンド１０の最大あるいは水平寸法Ｄは、ヘルメット６０の直径ｄの約半分である。しかし、これは限定的ではない。スタンド１０は、ヘルメット６０を支持できれば、必要に応じて大きくても小さくてもよい。一般に、展開形態にあるスタンド１０のサイズ（すなわち長さ）は、典型的なオートバイ用ヘルメット６０のサイズ（すなわち直径）と同程度であるかまたは小さい。例えば、スタンド長が、ヘルメット直径の約５０〜７５％であることが望ましい。より大きいスタンド１０は、一般的に、より安定した台座を提供するが、より小さいスタンドは、一般的に、運搬のために小型になるため、これらの２つの要素の間には、ある程度のトレードオフが存在する。
【００３３】
本発明の好適な実施形態を説明したが、これらは一例にしか過ぎず、多様な変更が想定可能であることを理解されたい。
【００３４】
例えば、スタンド１０は、展開形態にあるときに、ヘルメット６０をスタンド１０に固定する保持部材（図示しない）をさらに備えてもよい。これにより追加的な安定性が提供され、ヘルメット６０は、所定の位置に一度置かれるとスタンド１０から落ちることが確実になくなる。保持部材により、また、ヘルメット６０を保持したまま、スタンド１０を持ち上げたり逆さまにしたりすることが可能になる。例示的な保持部材としては、ヘルメット６０の外表面に取り付けられる吸盤がある。あるいはまたはさらに、保持部材は、ヘルメット６０に巻きつけられるかまたは結び付けられる１つまたは複数の紐を含んでもよい。例えば、スタンド１０の各支持部材１６は、支持されたヘルメット６０の裏側にクリップ留めするための、あるいは、ヘルメット６０の裏側で縛るためのそれぞれの紐と連結されている。１つまたは複数の紐は、伸縮性があってもよい。１つまたは複数の紐を一緒にして、中にあるオートバイ用ヘルメット６０を受け入れるメッシュまたはネットを形成してもよい。
【００３５】
スタンド１０は、展開形態に向けてスタンド１０を付勢するための弾性付勢部材をさらに備えてもよい。このためにバネまたはコイルまたは同等の物を使用することができる。これにより、スタンド１０を折り畳み形態から展開形態へ広げることが簡単になり、展開および使用が容易になる。
【００３６】
スタンドは、ロックされた形態と解放された形態との間で可動である第１のロック部材をさらに備えてもよい。ロックされた形態では、第１のロック部材が、スタンドを折り畳み形態に維持するのに使用される。これにより、スタンド１０を誤って折り畳み形態から展開形態へ移動することを防止する。これは、特に、上述の弾性付勢部材との組み合わせることによって有益である。
【００３７】
スタンドは、ロックされた形態と解放された形態との間で可動である第２のロック部材をさらに備えてもよい。ロックされた形態では、第２のロック部材が、スタンドを展開形態に維持するのに使用される。これにより、スタンド１０を誤って展開形態から折り畳み形態へ移動することを防止する。
【００３８】
スタンドは、折り畳み形態から展開形態へとスタンド１０を動かすために作動されるアクチュエーター（例えばボタン）をさらに備えてもよい。
【００３９】
上述の実施形態では、スタンド１０は、折り畳み形態と展開形態との間をヒンジ可動する。折り畳み形態と展開形態の間のその他の移動方法もまた想定される（例えば、回転、膨張など）。
【００４０】
このように、一実施形態では、スタンドは、可膨張性部材をさらに備えてもよい。この場合、スタンドは、可膨張性部材の膨張の間、折り畳み形態から展開形態へ移動するように配置されてもよい。可膨張性部材自体は、支持部材として使用されてもよい。複数の可膨張性部材が備えられてもよい。
【００４１】
スタンドは、複数の取り外し可能な構成要素であって、スタンドの折り畳み形態において一方で一緒に取り付けられ、スタンドの展開形態において他方で一緒に取り付けられるように操作可能な構成要素をさらに含んでもよい。この場合、折り畳み形態から分解され、そしてユーザによって展開形態を形成するように再構築されることが可能であるスタンドが提供される。一例として、この設計オプションは、図面に示されたスタンドと類似のスタンドに使用することができる。種々の構成要素のヒンジ動作の代わりに、各構成要素が、スナップフィットコネクタを有し、このコネクタにより、各構成要素が隣接する構成要素と２つの状態（折り畳みまたは展開）のうちの１つで接続されるようにすることもできる。その他の多くの変形も考えられる。しかし、好適な実施形態では、スタンドを複数の構成要素に分解することなく、折り畳み形態と展開形態との間の移動が可能になる。換言すれば、スタンドが折り畳み形態と展開形態との間を移動するのを可能にするために取り外しされる必要がある構成要素を含まないスタンドが好ましい。したがって、スタンドは、折り畳み形態と展開形態との間でスタンドが移動する間、１つの要素のまま（すなわち、連結された状態）である。
【００４２】
スタンド１０は、スタンドをオートバイに固定するオートバイ取り付け部材（例えば、マグネットまたはカラビナ）をさらに備えてもよい。
【００４３】
スタンド１０は、スタンド１０の展開形態において支持されたオートバイ用ヘルメット６０の内側を冷やすように配置されたファン（例えば、電池式回転ファン）をさらに備えてもよい。
【００４４】
図面に示されたスタンド１０の連結アーム１４は、必須ではない。連結アーム１４を取り外して、代わりに、支持部材１６をスタンド１０の中央体１２に直接連結することができる。しかし、これにより図３に示された展開されたスタンド１０よりも小さい「展開された」スタンドが提供されることになり、この小さい展開したスタンドは、図１に示された折り畳まれたスタンドと比較して、ヘルメットの台座としてより不安定であり、折り畳まれたスタンドのサイズを著しく縮小するという利点がない。したがって、連結アーム１４を包含することが好ましい。
【００４５】
図面に示された４個の支持部材ではなく、別の数の支持部材を含んでもよいことが想定されている。図面に示された４個の支持部材の代わりに３個以上の支持部材がどのように使用されることができるかは容易に分かる。あるいは、スタンドは、２個の支持部材のみを含むことも可能である。支持部材を２個だけ使用してヘルメットを安定的に支持するためには、その２個の支持部材のうち少なくとも１つが、２つ以上の接触点を使用して、または１つの拡大接触域を使用して、ヘルメットの外表面に接触するべきである。支持部材が１つだけのスタンドもまた想定することが可能である。この場合、支持部材はやはりヘルメットの外表面に接触する複数の接触点かまたは拡大接触域が必要となる。この点についての具体的な一実施形態としては、らせん状の支持部材をもつスタンドがある。らせんは、比較的小さな折り畳み直径を有し、より大きい直径へと外へ展開することができ、ヘルメットの外表面とらせん支持部分との間に実質的に円形の接触域をもつ、操作展開されたヘルメット支持体を形成する。
【００４６】
このように、多様な実施形態を説明したが、保護範囲は、特許請求の範囲によってのみ限定されるべきである。
【図１】
2013530320.tif 000003
【図２】
2013530320.tif 000004
【図３】
2013530320.tif 000005
【図４】
2013530320.tif 000006
【図５】
2013530320.tif 000007
【国際調査報告】
2013530320.tif 000008
2013530320.tif 000009